【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】  第２図柄始動手段(16)と、該第２図柄始動手段(16)が遊技球を検出することを条件に１又は複数個の第２図柄が所定時間変動して停止する第２図柄変動表示手段(24)と、該第２図柄変動表示手段(24)の変動後の停止図柄が当たり図柄となったときに所定時間開放する第１図柄始動手段(14)と、該第１図柄始動手段(14)が遊技球を検出することを条件に１又は複数個の第１図柄が所定時間変動して停止する第１図柄変動表示手段(21)と、該第１図柄変動表示手段(21)の変動後の停止図柄が大当たり図柄となったときに、遊技者に有利な第１利益状態を発生させる第１利益状態発生手段(34)とを備えた弾球遊技機において、前記第１利益状態の終了後、前記第１図柄変動表示手段(21)が所定回数変動動作を行うまでの間に、該第１図柄変動表示手段(21)の変動後の停止図柄が前記大当たり図柄と異なる所定図柄となったときに、前記第１図柄始動手段(14)の開放時間を通常よりも長くする第２利益状態を発生させ、前記第１利益状態発生手段(34)による前記第１利益状態が再度発生したときに前記第２利益状態を終了させる第２利益状態発生手段(35)を備えたことを特徴とする弾球遊技機。
【請求項２】  第２図柄始動手段(16)と、該第２図柄始動手段(16)が遊技球を検出することを条件に１又は複数個の第２図柄が所定時間変動して停止する第２図柄変動表示手段(24)と、該第２図柄変動表示手段(24)の変動後の停止図柄が当たり図柄となったときに所定時間開放する第１図柄始動手段(14)と、該第１図柄始動手段(14)が遊技球を検出することを条件に１又は複数個の第１図柄が所定時間変動して停止する第１図柄変動表示手段(21)と、該第１図柄変動表示手段(21)の変動後の停止図柄が大当たり図柄となったときに、遊技者に有利な第１利益状態を発生させる第１利益状態発生手段(34)とを備えた弾球遊技機において、前記第１利益状態の終了後、前記第１図柄変動表示手段(21)が所定回数変動動作を行うまでの間に、該第１図柄変動表示手段(21)の変動後の停止図柄が前記大当たり図柄と異なる所定図柄となったときに、前記第２図柄変動表示手段(24)の第２図柄の変動時間を通常よりも短縮する第２利益状態を発生させ、前記第１利益状態発生手段(34)による前記第１利益状態が再度発生したときに前記第２利益状態を終了させる第２利益状態発生手段(35)を備えたことを特徴とする弾球遊技機。
【手続補正２】
【補正対象書類名】明細書
【補正対象項目名】０００６
【補正方法】変更
【補正の内容】
【０００６】
【課題を解決するための手段】
本発明は、第２図柄始動手段16と、該第２図柄始動手段16が遊技球を検出することを条件に１又は複数個の第２図柄が所定時間変動して停止する第２図柄変動表示手段24と、該第２図柄変動表示手段24の変動後の停止図柄が当たり図柄となったときに所定時間開放する第１図柄始動手段14と、該第１図柄始動手段14が遊技球を検出することを条件に１又は複数個の第１図柄が所定時間変動して停止する第１図柄変動表示手段21と、該第１図柄変動表示手段21の変動後の停止図柄が大当たり図柄となったときに、遊技者に有利な第１利益状態を発生させる第１利益状態発生手段34とを備えた弾球遊技機において、前記第１利益状態の終了後、前記第１図柄変動表示手段21が所定回数変動動作を行うまでの間に、該第１図柄変動表示手段21の変動後の停止図柄が前記大当たり図柄と異なる所定図柄となったときに、前記第１図柄始動手段14の開放時間を通常よりも長くする第２利益状態を発生させ、前記第１利益状態発生手段34による前記第１利益状態が再度発生したときに前記第２利益状態を終了させる第２利益状態発生手段35を備えている。
更に本発明は、第２図柄始動手段16と、該第２図柄始動手段16が遊技球を検出することを条件に１又は複数個の第２図柄が所定時間変動して停止する第２図柄変動表示手段24と、該第２図柄変動表示手段24の変動後の停止図柄が当たり図柄となったときに所定時間開放する第１図柄始動手段14と、該第１図柄始動手段14が遊技球を検出することを条件に１又は複数個の第１図柄が所定時間変動して停止する第１図柄変動表示手段21と、該第１図柄変動表示手段21の変動後の停止図柄が大当たり図柄となったときに、遊技者に有利な第１利益状態を発生させる第１利益状態発生手段34とを備えた弾球遊技機において、前記第１利益状態の終了後、前記第１図柄変動表示手段21が所定回数変動動作を行うまでの間に、該第１図柄変動表示手段21の変動後の停止図柄が前記大当たり図柄と異なる所定図柄となったときに、前記第２図柄変動表示手段24の第２図柄の変動時間を通常よりも短縮する第２利益状態を発生させ、前記第１利益状態発生手段34による前記第１利益状態が再度発生したときに前記第２利益状態を終了させる第２利益状態発生手段35を備えている。
【手続補正３】
【補正対象書類名】明細書
【補正対象項目名】００５５
【補正方法】変更
【補正の内容】
【００５５】
この場合、一旦第１利益状態が発生すれば、その第１利益状態の終了後から第１図柄変動表示手段21が所定回数変動するまでの間における第１図柄変動表示手段21の停止図柄の如何によって第２利益状態が発生する可能性があり、これによって第１利益状態の終了後にも遊技者の興趣を増大できる利点がある。また遊技者は各報知手段22,23 の報知によりゲーム状態を直接又は間接的に把握できるので、その報知によって遊技者のゲームに対する意欲を喚起できる利点もある。
以上のように、本発明は、第１図柄始動手段14と、該第１図柄始動手段14が遊技球を検出することを条件に１又は複数個の第１図柄が所定時間変動して停止する第１図柄変動表示手段21と、該第１図柄変動表示手段21の変動後の停止図柄が大当たり図柄となったときに、遊技者に有利な第１利益状態を発生させる第１利益状態発生手段34とを備えた弾球遊技機において、前記第１利益状態の終了後、前記第１図柄変動表示手段21が所定回数変動動作を行うまでの間に、該第１図柄変動表示手段21の変動後の停止図柄が前記大当たり図柄と異なる所定図柄となったときに、遊技者に有利な第２利益状態を発生させる第２利益状態発生手段35を備えている。
また、前記第１図柄始動手段14が可変作動式の可変入賞口であり、第２図柄始動手段16と、該第２図柄始動手段16が遊技球を検出することを条件に１又は複数個の第２図柄が所定時間変動して停止する第２図柄変動表示手段24と、該第２図柄変動表示手段24の変動後の停止図柄が当たり図柄となったときに前記第１図柄始動手段14を所定時間開放させる開閉制御手段33とを備えている。
また、前記第２利益状態発生手段35は、前記第１図柄変動表示手段21の停止図柄が大当たり図柄となる確率又は前記第２図柄変動表示手段24の停止図柄が当たり図柄となる確率を大にする確率変動機能を備えている。
また、前記第２利益状態発生手段35は、前記第１図柄始動手段14の開放時間を長くする開放時間制御機能を備えている。
また、前記第２利益状態発生手段35は、前記第１図柄変動表示手段21又は前記第２図柄変動表示手段24の変動時間を短縮する変動時間短縮機能を備えている。
また、前記第２利益状態発生手段35の第２利益状態が終了する契機は、前記第１利益状態が次に発生したとき、又は前記第１図柄変動表示手段21が設定回数変動動作をしたときである。
【手続補正４】
【補正対象書類名】明細書
【補正対象項目名】００６１
【補正方法】変更
【補正の内容】
【００６１】
【発明の効果】
本発明では、第１利益状態の終了後、第１図柄変動表示手段21が所定回数変動するまでの間に、該第１図柄変動表示手段21の変動後の停止図柄が大当たり図柄と異なる所定の図柄となったときに、第１図柄始動手段14の開放時間を通常よりも長くする第２利益状態を発生させ、第１利益状態発生手段34による第１利益状態が再度発生したときに第２利益状態を終了させる第２利益状態発生手段35を備えており、或いは、第１利益状態の終了後、第１図柄変動表示手段21が所定回数変動するまでの間に、該第１図柄変動表示手段21の変動後の停止図柄が大当たり図柄と異なる所定の図柄となったときに、第２図柄変動表示手段24の第２図柄の変動時間を通常よりも短縮する第２利益状態を発生させ、第１利益状態発生手段34による第１利益状態が再度発生したときに第２利益状態を終了させる第２利益状態発生手段35を備えているので、一旦第１利益状態が発生すれば、その第１利益状態の終了後から第１図柄変動表示手段21が所定回数変動するまでの間における第１図柄変動表示手段21の停止図柄の如何によって第２利益状態が発生する可能性があり、これによって第１利益状態の終了後にも遊技者の興趣を増大できる利点がある。